(57)【要約】      （修正有）【課題】従来のロールペーパーとペーパーホルダーでは力の弱い老人・体の不自由な人・怪我人・病人・子供等には使いにくく片手では思う様に使えませんでした。使い易い大きさのトイレットペーパーを複数枚バラバラにならない様にした使い易いトイレットペーパーボックスを提供する。【解決手段】使い易い大きさのトイレットペーパーを複数枚バラバラにならない様まとめ、折り畳んでテイッシュ式にした物をボックスに納め、取出し口のある蓋は固定せずボックス本体の内側を上下してペーパーのすぐ上にあり、取り出しやすくした構造。ペーパーをたくさん納めるボックス用にはボックス本体の一部に横の切り取り線を設け、ペーパーの無くなった上部を取りのぞくと下のペーパーが取り易くなる構造。【選択図】図２
2009061238.tif 000002
【特許請求の範囲】
【請求項１】
特許出願番号２００６−２４４８１２・２００６−３５７４０７のトイレットペーパー以後考案ペーパーとします  を使い易くする為１つの考案ペーパーの半分位に次に取り出す考案ペーパーの半分位を重ねて折り畳んだ物を複数まとめたテイッシュペーパー方式にした物をボックス本体に納め、取出し口を設けた蓋を本体に固定しないでボックス本体の内側に上下移動する構造で考案ペーパーのすぐ上にある様にして、考案ペーパーを１つ取出すと下にある次の考案ペーパーが半分位出てきて次のも取出し易くしたテイッシュペーパー式トイレットペーパーボックス。
【請求項２】
請求項１の考案ペーパーをテイッシュ式にまとめた物を複数個まとめて又同数の取出し口を設けた蓋を１つのテイッシュ式ボックスに納めたトイレットペーパーボックス。
【請求項３】
請求項１・請求項２のテイッシュ式トイレットペーパーボックス本体の一部に横に切り取り線をを設けて、その切り取り線により上部を取りのぞく事により下にある考案ペーパーが取出し易くしたテイッシュ式トイレットペーパーボックス。
【請求項４】
請求項１・請求項２・請求項３のトイレットペーパーボックスの本体の一部に回転させると出てくる安定板を設け、この安定板をロールペーパーホルダーの上部のカバーの付根のすき間に差し込み半固定しボックス本体を安定させ使用しやすくする構造のテイシュ式トイレットペーパーボックス。
【請求項５】
請求項１・請求項２・請求項３のトイレットペーパーボックスの本体側面の一部にＵ字型の切り取り線を設け、その切り取り線で切り、折り曲げると出来る安定板をロールペーパーホルダーの上部のカバーの付根のすき間に差し込み半固定しボックス本体を安定させ使用しやすくする構造のテイッシュ式トイレットペーパーボックス。
【請求項６】
請求項１・請求項２・請求項３のトイレットペーパーボックスの本体低面の一部にＵ字型の切り取り線を設け、その切り取り線で切り、折り曲げると出来る安定板をロールペーパーホルダーの上部のカバーの付根のすき間に差し込み半固定しボックス本体を安定させ使用しやすくする構造のテイッシュ式トイレットペーパーボックス。
【発明の詳細な説明】
【技術分野】
【０００１】  トイレットペーパー
【背景技術】
【０００２】  従来のロールペーパーとペーパーホルダーでは力の弱い老人・体の不自由な人・怪我人・病人・子供等には使いにくく片手では思う様に使えませんでした【０００３】  今現在では、ホルダーのカバーを持ち上げ、ペーパーの先端を探し、つまんで引き出し、ある程度の長さを出し、カバーを押さえカットし、それを両手で何回か折畳み、使える状態になり、汚れ落としや水分取りに使ってました。
面倒でもっと使い易く簡単にならないか。【０００４】  思う様にできなくて使いすぎ等のむだも多かった【０００５】
【特許文献１】  仮名称  考案ペーパー  特許出願番号  ２００６−２４４８１２・２００６−３５７４０７
【特許文献２】  名称  テイシュ式トイレットペーパーボックス特許出願番号  ２００７−１８６２９２
【０００６】
【非特許文献１】  ２００６−東京発明展  参考出品
【発明の開示】
【発明が解決しようとする課題】
【０００７】  使い易い大きさのトイレットペーパーを複数枚重ねバラバラにならない様にまとめた物を、テイシュペーパーよりも簡単で使い易くできないか。【０００８】  ロールペーパーで思う様に使えなかった時の無駄をなくせないか。
【発明が解決するための手段】
【０００９】  従来のロールペーパーとペーパーホルダーでは解決できませんので、考案ペーバーをテイッシュ式にして、１つづつ引き出しそのまま使えるトイレットペーパーを考案しました。
【００１０】  １つの考案ペーぱーの半分位に次に取り出す考案ペーパーの半分位を重ねて折り畳んだテイッシュ式にした物をボックスに納め、取出し口を設けた蓋はボックス本体に固定しないでボックス本体内側を上下移動出来る様に設け、１つ取り出すと次のペーパーが半分位出てきて取出し易いトイレットペーパーボックス
【００１１】  ［００１０］の物を複数個１つのボックスに納め、又同数の取出し口を設けた蓋を上にのせ、多くのペーパーを納める事によりさらに使い易くしたボックス。
【００１２】  ペーパーを大容量納める為縦長くしたボックス本体の一部に、横に切り取線を設け、ある程度ペーパーの無くなった上部を、その切り取り線より上部を切り取り、下部のペーパーを取り出しやすくした構造。
【００１３】  従来のロールペーパーホルダーの上部カバーのつけ根の隙間に差し込む安定板を、ボックス本体に設け、又取り付けが簡単で使い易くした構造で次の方法があります。
（１）ボックス本体の一部に回転させると出来る案定板
（２）ボックス本体側面の一部にＵ字型の切り取り線を設け、切り折り曲げると出来る案定板
（３）ボックス本体底面の一部にＵ字型の切り取り線を設け、切り折り曲げると出来る安定板
【発明の効果】
【００１４】  本考案のボックスから考案ペーパーを１つ出しそのまま汚れ落としや水分取りに使うだけです。
簡単で使い易く、だれにでも使えます。
【００１５】  従来のペーパーホルダーにも、安定板を使用すれば使い易く取り付け簡単又たくさんのペーパーを設ける時は、ボックス本体に切り取り線を設けた物を使えば、かなりの量が簡単に楽に使えます。
【００１６】  全く無駄がなく経済的です。
使い方もテイッシュペーパーよりも簡単、持運びが良くトイレ以外でも使え大変便利。
【図面の簡単な説明】
【図１】透視斜面図  １−ボックス本体  ２−移動蓋  ３−取出し口
【図２】透視斜面図  １−ボックス本体  ２−移動蓋  ３−取出し口
【図３】斜面図  １−ボックス本体  ２−移動蓋  ３−取出し口  ４−横切り取り線
【図４】斜面図  １−ボックス本体  ２−移動蓋  ３−取出し口  ５−安定板
【図５】斜面図  １−ボックス本体  ２−移動蓋  ３−取出し口  ５−安定板
【図６】斜面図  １−ボックス本体  ２−移動蓋  ３−取出し口  ４−切り取り線  ５−安定板
【図７】斜面図  １−ボックス本体  ２−移動蓋  ３−取出し口  ４−切り取り線  ５−安定板
【図８】斜面図  １−ボックス本体  ２−移動蓋  ３−取出し口  ４−切り取り線  ５−安定板
【図９】斜面図  １−ボックス本体  ２−移動蓋  ３−取出し口  ４−切り取り線  ５−安定板
【図１】
2009061238.tif 000003
【図２】
2009061238.tif 000004
【図３】
2009061238.tif 000005
【図４】
2009061238.tif 000006
【図５】
2009061238.tif 000007
【図６】
2009061238.tif 000008
【図７】
2009061238.tif 000009
【図８】
2009061238.tif 000010
【図９】
2009061238.tif 000011